(57)【要約】  【課題】独立性と開放性とのバランスの選択に優れていると共に、机の配置態様の変更も可能な机システムを提供する。  【手段】必須の要素としての第１机１と第２机２と、好適な要素としての第３机３とを備えている。各机1,2,3 は天板4,5,6 とメイン仕切体13,14,15とを備えている。第１机１と第２机２とは平面視Ｌ形に連結されている。第１机１の天板４及びメイン仕切体13は左脳的作業（例えば計算）に好適な配色を採用し、第３机３の天板６及びメイン仕切体15は右脳的作業（例えば工作）に好適な配色とし、第２机２の天板５とメイン仕切体14とは中間的作業（例えばパソコン操作）に好適な配色にしている。第１メイン仕切体13と第２メイン仕切体14との間にはセンター空間が空いており、ここにサブ仕切体16を着脱自在又は開閉自在に設けている。【選択図】      図１
2006095059.tif 000002
【特許請求の範囲】
【請求項１】
少なくとも２つの机を備えており、これら両机は、脚で支持された天板と、該天板の背面部から机上面上方に立ち上がるように配置したメイン仕切体とを有しており、これら両机を、両天板が平面視Ｌ字形の姿勢を成すと共に両机のメイン仕切体の間にセンター空間が空く状態で配置している机システムであって、
前記センター空間と両天板の外側部とのうち少なくとも１か所に、机上空間を外部から遮蔽するサブ仕切体を、固定的に又は着脱可能に若しくは開閉可能に設けている、
机システム。
【請求項２】
前記両机は、一方の机の前面に他方の机の側端面が当たるようにして配置されており、一方の机のメイン仕切体に、前記センター空間を仕切るサブ仕切体を着脱自在又は開閉自在に取付けており、
更に、前記両机の天板同士及び両机のメイン仕切体同士のうちいずれか一方又は両方を、色彩や形状や素材や質感のように視覚で把握できる要素の少なくとも１つが互いに相違する異態様にしている、
請求項１に記載した机システム。
【請求項３】
一方の机におけるメイン仕切体の色はグリーンやブルーのような寒色系の有彩色でかつ天板の色は白系統の無彩色である一方、他方の机におけるメイン仕切体の色は白系統の無彩色になっており、更に、サブ仕切体の色は一方の机のメイン仕切体と同じ色になっている、
請求項２に記載した机システム。
【請求項４】
前記２つの机に加えて、天板とメイン仕切体とを木肌が露出した木質板製とした第３机を備えており、この第３机は、人が押し引きにて簡単に移動させ得るように脚にキャスターを設けていると共に、天板は前記両机の天板の下方に入り込み得る高さになっている、
請求項１〜３のうちの何れかに記載した机システム。
【発明の詳細な説明】
【技術分野】
【０００１】
本願発明は、複数の机（単位机）を組み合わせて成る机システム（机装置と言っても良い）に関するものである。
【背景技術】
【０００２】
近年、複数の机を組み合わせた机システムが開発されている。その１つとして本願出願人は、特許文献１において、人が作業位置と姿勢とを変えて使用することにより、左脳的作業と右脳的作業と中間的作業との各々に適した環境を選択できる机システムを提案した。
【０００３】
すなわちこの机システムは、左脳的作業を行う天板と右脳的作業を行う天板と中間的作業を行う天板との３枚の天板を備え、かつ、各天板の背後にそれぞれ背面パネルを配置してなるものにおいて、各背面パネルの色彩や材質、質感、形状等の視覚的に把握できる要素を作業内容に適したものに選択したものである。
【特許文献１】特開２００３−８２８７１号公報
【特許文献２】特開平８−１５４７４５号公報
【発明の開示】
【発明が解決しようとする課題】
【０００４】
脳の働きの活発さは外からの刺激の影響を大きく受けるもので、落ち着いた環境、集中できる環境、リラックスした環境など、作業内容（思考の種類）によって好適な環境が相違する。
【０００５】
脳に対する外からの刺激の主たるものは視覚的刺激と聴覚的刺激と触覚的刺激（手触り）であり、このうち聴覚的な刺激は、例えば音を遮断したり逆に音楽をかけたりというように人がコントロールできる余地がかなり大きいが、視覚的刺激は受動的であるため人が自在にコントロールするという訳にいかない。従って、机システムにおいて、作業空間を形成する部材は、作業内容に適した視覚的刺激を人に与えるよう配慮する必要がある。特許文献１は、このような知見に基づいて成されたものである。
【０００６】
特許文献１では、背面パネルは机上空間を囲うように一連に延びている。また、通常の机においても、背面パネルに加えてサイドパネルを設けることも行われている（例えば特許文献２参照）。
【０００７】
机システムや単体の机に背面パネルやサイドパネルを設けることの主たる意味は、作業空間を外部から仕切って集中できる環境を作ること、及びプライバシーを確保することにあるが、狭い空間を過度に仕切ると人に圧迫感を与えて却って作業環境を悪化させることがある。また、例えば家庭内に設置した机システムを児童が利用する場合に児童の大まかな様子を親が把握できるようにしておくことが望ましいというように、ある程度の開放性も必要である。つまり、机システムには独立性（遮蔽性）と開放性（オープン性）とのバランスが求められる。
【０００８】
本願発明は、このような実情に鑑みなされたもので、より改善された机システムを提供することを課題とするものである。
【課題を解決するための手段】
【０００９】
請求項１の発明は、少なくとも２つの机を備えており、これら両机は、脚で支持された天板と、該天板の背面部から机上面上方に立ち上がるように配置したメイン仕切体とを有しており、これら両机を、両天板が平面視Ｌ字形の姿勢を成すと共に両机のメイン仕切体の間にセンター空間が空く状態で配置している机システムにおいて、前記センター空間と両天板の外側部とのうち少なくとも１か所に、机上空間を外部から遮蔽するサブ仕切体を、固定的に又は着脱可能に若しくは開閉可能に設けている。
【００１０】
請求項２の発明は、請求項１において、前記両机は、一方の机の前面に他方の机の側端面が当たるようにして配置されており、一方の机のメイン仕切体に、前記センター空間を仕切るサブ仕切体を着脱自在又は開閉自在に取付けており、更に、前記両机の天板同士及び両机のメイン仕切体同士のうちいずれか一方又は両方を、色彩や形状や素材や質感のように視覚で把握できる要素の少なくとも１つが互いに相違する異態様にしている。
【００１１】
請求項３の発明は、請求項１又は請求項２において、一方の机におけるメイン仕切体の色はグリーンやブルーのような寒色系の有彩色でかつ天板の色は白系統の無彩色である一方、他方の机におけるメイン仕切体の色は白系統の無彩色になっており、更に、サブ仕切体の色は一方の机のメイン仕切体と同じ色になっている。
【００１２】
請求項４の発明は、請求項１〜３のうちの何れかにおいて、更に、前記２つの机に加えて、天板とメイン仕切体とを木肌が露出した木質板製とした第３机を備えており、この第３机は、人が押し引きにて簡単に移動させ得るように脚にキャスターを設けていると共に、天板は前記両机の天板の下方に入り込み得る高さになっている。
【発明の効果】
【００１３】
ところで、平面視Ｌ形の天板を備えた机において、一連に延びる平面視Ｌ形の背面パネルを備えているものは周知である。しかし、この従来品は形態が固定されており、机上空間を仕切る態様のバリエーションの選択の余地がない。これに対して本願発明は、センター空間のみにサブ仕切体を設けたり、センター空間と天板の外側部とにサブ仕切体を設けたり、或いは、センター空間は開放したままにして両天板の外側部にサブ仕切体を設けたりというように、机上空間の仕切態様を選択できる。このため、仕様者の好みに合わせることが容易となる。
【００１４】
特に、サブ仕切体を着脱式又は開閉式にすると、机上空間の仕切態様を必要に応じて簡単に変更できるため、換言すると、机上空間の独立性と開放性とのバランスを簡単に変更できるため、特に好適である。
【００１５】
請求項２のように構成すると、２つの机を作業内容によって使い分けるにおいて、天板又はメイン仕切体を作業内容に適した外観とすることにより、脳の働きを活性化させて作業能率の向上を図ることが可能となる。より具体的には、請求項３のような外観に構成することにより、左脳的作業と中間的作業とを行うにおいて、能率や質の向上に貢献し得る。
【００１６】
請求項４のように構成すると、第３机はプラモデルの組立や工作のような右脳的作業に好適な外観を呈しているため、右脳的作業を行うにおいて脳の働きを活性化することが可能になる。また、第３机は他の机の内部空間に部分的に入り込ませたり、天板の全体が露出するように引き出したりというように位置や姿勢を簡単に変更できるため、使い勝手が頗る良い。
【発明を実施するための最良の形態】
【００１７】
次に、本願発明の実施形態を図面に基づいて説明する。
【００１８】
(1).第１実施形態の概要
図１〜図９では第１実施形態を示しており、このうち図１（Ａ）は全体の概略斜視図、図２は全体の平面図、図３は全体の正面図である。まず、これらの図に基づいて机システムの概要を説明する。本実施形態の机システムは、主として児童・生徒が使用するものを想定して設計されている（勿論、大人が使用することも可能である）。
【００１９】
本実施形態の机システムは、計算のような左脳的作業に適している第１机１と、プラモデルの組立や工作作業のような右脳的作業に適している第３机３と、パソコンＰの操作のように左脳的作業と右脳的作業との中間的作業に適している第２机２とを備えている。各机１，２，３はそれぞれ天板４，５，６を備えており、第１机１と第２机２とは、第１机１を使用するときは使用者の左側に第２机２が位置するように、平面視でＬ字状に配置されている（勿論、この配置は一例であり、第１机と１と第２机２とを入れ替えるなど、各机のレイアウトは自由に選択できる）。
【００２０】
従って、机システム全体としては平面視でコ字状の姿勢を成しており、各机で囲われた空間に椅子Ｃが配置されており、使用者は、その姿勢と位置とを変えることにより、各机１，２，３を任意に使用することができる。以下の説明では、便宜的に、第１机１〜第３机３の天板をそれぞれ第１天板４，第２天板５，第３天板６と表示する。また、本明細書で便宜上「左・右・前・後」の文言を使用するが、これらの文言は、天板と対峙した姿勢（使用状態）の使用者を基準にしたものである（従って、第１机１と第３机３とでは左右は逆になる。）。
【００２１】
なお、机システムに袖抽斗（ワゴン）を併設する場合、いずれかの天板４，５，６の下方に配置するか、第１机１又は第３机３の外側に配置したら良い。
【００２２】
第１天板４及び第３天板６は左右横長の平面視長方形であり、他方、第２天板５は横長長方形に近い形態ながら前端面は平面視で前向き突状に緩く湾曲した形態になっている。従って、第１天板４と第２天板５とは平面形状が相違している。第２天板５の右端面は第１天板４の前面に当接しており、かつ、第１天板４の左側面と第２天板５の背面とは直線状に延びている。
【００２３】
本実施形態では、第１天板４と第２天板５と共に木製板の表面にメラミン樹脂層を貼着した構造であり、例えば、白や淡い灰色のように無彩色でかつ明度の高い落ち着いた色を採用している。他方、第３天板６は木製板で木目が表れたままになっている。各天板４，５，６は複数段に高さ調節できるが（詳細は後述する）、各天板４，５，６を最上段に位置させた状態で、第１天板４と第２天板５とは同じ高さとなり、第３天板６は第１天板４及び第２天板５よりも低い高さになるように設定している。このため、第３天板６を第２天板５（及び第１天板４）の下方に押し込むことができる。
【００２４】
各天板４，５，６の左右両側部は脚７で支持されている。各脚７，８，９は、木目が表れている脚板８と、その下端に固着した金属製の水平杆９と備えている。図２から理解できるように、第２机２における右脚７の水平杆９は脚板８の前後幅寸法とほぼ同じ長さになっており、他の脚７における水平杆９は脚板８から手前に大きく延びている。
【００２５】
言うまでもないが、水平杆９が脚板８から手前に長く延びているのは机の安定を確保するためであり、他方、第２机２における右脚７の水平杆９が短いのは、使用者が着座状態で移動するに際しての障害にならないようにするためである。
【００２６】
第２机２の右脚７の水平杆９を短くしたことに起因した第２机２の安定性低下を回避するため、第１天板４と第２天板５とは、両者の下面に跨がって延びる連結具１０にて連結している。連結具１０は両天板４，５にボルトで固定されている。なお、詳細は省略するが、連結具１０には、第２机２を単体で使用する場合に右脚板８の下端に固定する長い長さの水平杆９を利用している。
【００２７】
他方、第３机３の水平杆９にはそれぞれ前後一対ずつのキャスター１１を設けている。このため第３机３は図４に例示するように所望の位置・姿勢に簡単に移動させることができる。キャスター１１が床に接地した状態で、第３机３の水平杆９は第２机２（及び第１机１）の水平杆９よりも高い高さになるように設定している。このため、図４（Ａ）に一点鎖線で示すように、第３机３の水平杆９は第２机２（及び第１机１）の水平杆９を跨ぐことができる。その結果、第３机３の位置及び姿勢の選択の自由度を格段に向上させることができる。
【００２８】
各脚板８の前後幅寸法は天板４，５，６の前後幅の略半分程度の寸法であり、各天板４，５，６の後半部に脚板８が嵌まり込む外向き開口の切り開き部１２を形成し、このため、脚板８の外面と天板４，５，６の左右端面とは同一面を成している。脚板８と天板４，５，６の背面とは同一面を成している。
【００２９】
各机１，２，３は天板４，５，６の背面部に固定されたメイン仕切体１３，１４，１５を備えている。便宜的に、これらメイン仕切体も天板と同様に各机１，２，３の番号に応じて第１メイン仕切体１３、第２メイン仕切体１４、第３メイン仕切体１５と称する。第１メイン仕切体１３と第２メイン仕切体１４とは天板４，５，６の横幅の略全長にわたって延びており、かつ、天板４，５，６よりも下方に延びている。
【００３０】
他方、第３メイン仕切体１５は、第３天板６の下方に位置した部分は第３天板６と同じ長さであるが、第３天板６から上方に露出した部分は左側に偏っており、従って、第３机３では、机上空間のうち右側の６割程度は仕切られることなく後方に開放されている。第３メイン仕切体１５は、木目が露出した木製板製である。
【００３１】
第２天板５の右端面を第１天板４の前端面に当てているため、第１メイン仕切体１３の左端部と第２メイン仕切体１４の右端部との間には、第１天板４の幅寸法の間隔のセンター空間が空いている。そして、このセンター空間の全部又は大部分を仕切るサブ仕切体１６が第１メイン仕切体１３に取付けられている。
【００３２】
各各メイン仕切体１３，１４，１５には、オプション品としての棚類やブラケット類を着脱自在に吊懸けることができる。その例として、第１メイン仕切体１３に小型棚１７′を吊懸けており、第２メイン仕切体１４にはパソコン用プリンタのような比較的大型物品を載置できる中型棚１７″を吊懸けている。第３メイン仕切体１５には金属板製ハンガー１８を吊懸けている。
【００３３】
また、各天板４，５，６には灯具１９を取付けることができる。各天板４，５，６の背面部の左右中間部には電源等のケーブルを引き出すための切欠き２０を形成しているが、第１天板４と第２天板５との切欠き２０は灯具１９の取付けに適した形状にしている（詳細は後述する）。第３天板６の下面には抽斗２１を設けている。
【００３４】
(2).天板と脚との固定構造
次に、図５以下の図面も参照して各部位の詳細を説明する。まず、天板４，５，６と脚７との固定構造を図５及び図６（Ｂ）に基づいて説明する。図５は第１天板４と脚７との関係を示す分離斜視図、図６（Ｂ）は図３のVIB-VIB 視断面図である。
【００３５】
図５から理解できるように、脚板８と第１天板４とは木製でブロック状の補強材（ブラケット）２３を介して固定されている。補強材２３は脚板８と略同じ程度の前後長さであり、ダボピン２４及びビス２５によって第１天板４の左右側部の下面に離反不能に固定されており、補強材２３は、脚板８に外側から貫通した前後２本のビス２６により、脚板８に締結されている。
【００３６】
この場合、脚板８にはビス２６の取付け穴２７の対が適宜間隔で複数段（図では６段）形成されている一方、補強材２３には、ビス２６がねじ込まれる鬼目ナット２８とピン穴２９との対を上下に隔てて設けている。鬼目ナット２８とピン穴２９との上下間隔は取付け穴２６の間隔と同じであり、ピン穴２９と取付け穴２６とに位置決めピン３０を挿入している。
【００３７】
第１天板４は脚板８から手前側に突出（オーバーハング）しているので、第１天板４に上方から掛かった荷重が補強材２３との固定箇所にモーメントとして作用することがあり、このため前後一対のビス２６による締結だけでは強度を確保できない虞があるが、本実施形態のように位置決めピン３０を設けると、２本のビス２６による締結であっても十分な強度を確保することができる。
【００３８】
そして、脚板８の取付け穴２６を利用して位置決めピン３０を嵌め込むものであるため、脚板８に特別の加工を施す必要がなく、それだけ構造を簡素化できるのである。なお、位置決めピン３０は接着剤による接着や強制嵌入によって補強材２３に離反不能に固定しておいてもよい。
【００３９】
第２机２における第２天板５と脚７との固定構造は第１机１と全く同じである。第３机３における第３天板６と脚７との固定構造も基本的には第１机１と同じであるが、第３机３では例えば工作に際してより大きな荷重が掛かることがあり得るので、補強材２３は第３天板６の前端近傍まで延びており、堅牢な支持構造にしている。なお、各補強材２３は金属製としても良い。
【００４０】
(3).メイン仕切体及びサブ仕切体
次に、第１メイン仕切体１３とサブ仕切体１６との構造及び固定方法について、図６（Ａ）（Ｃ）〜図８も参照して説明する。図６のうち（Ａ）は第１机１の部分的な背面図、（Ａ）は（Ａ）のＢ−Ｂ視断面図、図７のうち（Ａ）は第１机１の部分的な分離斜視図、（Ｂ）は（Ａ）のＢ−Ｂ視断図、図８のうち（Ａ）は一部を仮想線で示した第１机１の右側断面図、（Ｂ）は（Ａ）のＢ−Ｂ視断面図、（Ｃ）は（Ａ）のＣ−Ｃ視断面図である。
【００４１】
第１メイン仕切体１３は、正面視四角形の金属製フレーム（本体枠）３２に布製表皮材３３を巻き掛けた構造になっており、このため第１メイン仕切体１３はスクリーン状の外観を呈している。表皮材３３の色は、例えばグリーンやブルーのような寒色系の単一有彩色が好ましい。フレーム３２は角形鋼管で構成されており、複数段の（１段でも良い）の補強用横桟３４を設けている。なお、メイン仕切体をフレーム３２に表皮材３３が張られた構造にするとコスト面で優れている。
【００４２】
図７（Ｂ）に示すように、表皮材３３はファスナー３５によって筒状に形成されており、ファスナー３５を開閉することにより、表皮材３３をフレーム３２に着脱することができる。表皮材３３は、押さえ具にてフレームに押さえ固定したり、紐類で縛り固定したりすることも可能であるが、これらは取付け・取り外しに手間が掛かる問題がーる。これに対して本実施形態のようにファスナー３５を使用すると、取付け・取り外しを簡単に行える利点がある。なお、ファスナー３５は美感の面からフレーム３２の下面箇所に配置するのが好ましい。
【００４３】
図６（Ａ）（Ｂ）に示すように、フレーム３２の左右両縦杆は、脚板８の背面に上下複数本（３本願発明）のビス３６で固定されている。脚板８にはビス３６がねじ込まれる鬼目ナット３７を埋設している。また、鬼目ナット３７を上下多段に設けることにより、第１メイン仕切体１３の高さを段階的に調節できるようになっている。
【００４４】
第２メイン仕切体１４の構造及び固定方法は第１メイン仕切体１３と同じであり、第２メイン仕切体１４と第１メイン仕切体１３との相違点は表皮材３３の色だけである。第２メイン仕切体１４の表皮材３３は、例えば白又は薄い灰色のような無彩色で明度の高い色を採用している。淡いベージュのように、無彩色に近い色相の有彩色も採用できる。
【００４５】
サブ仕切体１６は、横長のハンガー（バー）３８に布製の仕切幕３９を吊懸けた形態であり、ハンガー３８の基端にはフレーム３２における縦杆の前面と内側面とに重なる平面視Ｌ形のブラケット４０が固定されており、このブラケット４０はビス４１によってフレーム３２における縦杆の内面に固定されている。
【００４６】
図８（Ｃ）に示すように、仕切幕３９の上端は筒状部３９ａが縫着形成されており、この筒状部３９ａでハンガー３８を抱持している。また、仕切幕３９の下端には重し用の棒材４２が抱き込まれている。
【００４７】
仕切幕３９の下端は自由端になっており、このため仕切幕３９はめくり挙げることができる。また、仕切幕３９は、ハンガー３８に幾重にも巻き付けることにより、第１机１の机上空間をその左側方に開放させることも可能である。仕切幕３９は第１メイン仕切体１３の表皮材３３と同じ素材・色に設定されている。
【００４８】
例えば、フレーム３２の縦杆に逆ダルマ形の係合穴を開ける一方、ハンガー３８の付け根部に、係合穴に落し込み自在な係合用頭を形成するなどして、抜き差しのようなワンタッチ的な操作でサブ仕切体１６をフレーム３２に着脱できる構造とすることも可能であるが、本実施形態のようにスクリーン状の仕切幕３９がハンガー３８から垂れ下がった態様にすると、仕切幕３９は開閉自在（巻き上げ自在）であるため、ハンガー３８は必ずしも着脱式とする必要はない（むしろ、強固に固定していた方が良い）。
【００４９】
サブ仕切体１６は、第１机１の左側部に設けることに加えて又はこれに代えて、図１（Ａ）に一点鎖線で示すように、第１机１の右側部と第２机２の左側部とうちいずれか一方又は両方に設けることが可能である。
【００５０】
(4).他の構造
次に、図１，図２及び図６（Ｄ）に基づいて灯具１９の取付けに付いて説明する。本実施形態の灯具１９は、天板の縁部に固定される一般的なものであり、支柱４４の下端には側面視Ｌ形のクランプ金具４５が固定されており、金具４５の下水平片に、ハンドル付きの押さえ用ボルト４６がねじ込まれている。
【００５１】
そして、第１天板４と第２天板５では、例えば図１（Ａ）に明示するように、切欠き２０を、平面視円弧状の主部２０ａとその左右両側に広がる浅い張り出し部２０ｂとからなる形態としている（張り出し部２０ｂは片側だけでも良い）。切り開き部１２の主部２０ａは灯具１９のクランプ金具４５が上下に抜き差し自在な大きさ（深さ及び幅）に設定されており、また、張り出し部２０ｂは、クランプ金具４５の鉛直部が嵌まり込む程度の深さと幅とに設定している。
【００５２】
仮に、切欠き２０がない場合は、灯具１９の取付け・取り外しに際して一々メイン仕切体１３，１４を取り外す手間をかけねばならず、また、切欠き２０の主部２０ａしかない場合は、灯具１９の支柱４４は切り開き部１２の手前側に位置するためスペースのロスが大きく、机を使いづらいという問題がある。
【００５３】
これに対して切り開き部１２を張り出し部２０ｂがある形態にすると、メイン仕切体１３，１４を取り付けたままで灯具１９の着脱作業を行える利点を損なうことなく、灯具１９の支柱４４を天板４，５，６の背面部に寄せることができる。従って、机の使い勝手の悪化を招来することなく、灯具１９を簡単に取付けることができる。なお、切欠き２０の主部２０ａは略四角形でも良い。
【００５４】
第１メイン仕切体１３に設けた棚１７′は、当該棚１７′の前面から後傾状に延びるハンガー１７ａによって第１メイン仕切体１３に吊り掛けられているが、この場合、棚１７はその背面がフレーム３２の横桟３４に当接する高さに設定している。このため、フレーム３２に布製の表皮材３３を張っただけのメイン仕切体１３でありながら、表皮材３３を突き破ることなく、棚１７′を安定した状態に保持できる。
【００５５】
同様に、第２メイン仕切体１４に設けた棚１７″は、当該棚１７″の背面箇所で上下に延びるハンガー１７ｂによって第２メイン仕切体１４に吊支されているが、ハンガー１７ｂの下部がフレーム３２の横桟３４の前面に当てることにより、安定性を確保している。ハンガー１７ｂはビスで棚１７″の下面に固定しているが、この場合、ビス穴１７ｃを左右に複数セット設けることにより、ハンガー１７ｂの左右位置をずらし得るように設定している。
【００５６】
このため、例えば大型のデスクトップ型パソコンのように棚１７″の下面につかえるような大型の物品を机上においた場合、棚１７″が物品と干渉しないように例えば左側にずらして、メイン仕切体１４から左側にはみ出るように配置することが可能になる。
【００５７】
(5).まとめ
以上の構成において、各机１，２，３は視覚的及び触覚的環境がが相違しているため、人（例えば児童）が勉強等の各種作業を行うにおいて、集中力アップや気分転換の効果によって作業能率を向上できる。
【００５８】
具体的には、第１机１は、第１天板４と第１メイン仕切体１３及びサブ仕切体１６の色が左脳を刺激する配色となるよう環境が他の机と違っており、このため、計算作業や筆記作業のような左脳的作業を行うにおいて脳の働きを活性化させることが可能になる。特に、メイン仕切体１３と同色・同素材のサブ仕切体１６で机上空間が左側において仕切られることにより、第１机１における机上空間の独立性が高くなり、その結果、作業への集中度を向上できる利点がある。
【００５９】
第２机２の第２天板５及び第２メイン仕切体１４は白系統の配色になっているため、パソコン操作のような中間的作業を行うにおいて、脳の働きを活性化して能率を良くすることができる。
【００６０】
また、第３机３は第３天板６及び第３メイン仕切体１５とも木目が表れたままのアクティブな配色であるため、プラモデルの組立、各種工作、デザインの創作、図面の作成のような右脳的作業を行うにおいて脳の働きを活性化させることができる。この場合、第２メイン仕切体１４と第３メイン仕切体１５とが空間なしに連続していると圧迫感を与える虞があるが、本実施形態のように第３メイン仕切体１５と第２メイン仕切体との間には空間が空いていると、開放性と密閉性とを適度に調和させていることができる。
【００６１】
また、机ユニットを児童用として家庭に設置した場合、親は子供の勉強状態をある程度は把握しておきたい要望を持つものであるが、本実施形態のように第３机３の机上空間を後方に部分的に開放させると、机ユニットの内部空間の独立性をある程度は確保しつつ、例えば母親が家事を行いつつ子供の様子を確認するということが可能になり、親の要望にも応えることができると言える。
【００６２】
更に、プラモデルの組立や工作を行う場合、長さの長い部材を使用することがあり、仮に第３メイン仕切体１５が第３天板６の全長にわたって延びていると長い部材の始末に困ることがあり、さりとて第３メイン仕切体１５を設けないと物品が後方に転がり落ちやすい問題やハンガー類を取付けられない問題があるが、本実施形態では、長さの長い部材は第３メイン仕切体１５が切欠かれている部分に後方にはみ出す姿勢で机上に載置することができるため、使い勝手が良く、かつ、小物は第３メイン仕切体１５の手前に置くことによって転落を防止でき、更に、ハンガー類やクリップ式ライト等の取付けも支障無く行えて、使い勝手が良い。
【００６３】
第２天板５と第３天板６とを平面視で部分的に重ね合わせる構造とする場合、第３天板６の下方に第２天板５が入り込むように両天板４，５，６の高さを設定することも可能であるが、第３机３で例えば工作を行うにおいてねじ込み作業や部材の嵌め合わせ作業等において人が机上に置いた部材に体重を掛けて押圧する場合があるため、第３天板６の高さを低くした方が使い勝手が良いと言える。
【００６４】
第１机１と第３机３との位置を入れ替えることも可能であるが、本実施形態のように、中間的作業用第２机２を挟んで右側に左脳的作業用第１机１を配置し左側に右脳的作業用第３机３を配置するのが好適であった。なお、本実施形態では、各机は独立させて一列状に並べて使用することも可能である。
【００６５】
(6).バリエーション
メイン仕切体に、紙類を押しピンで止めるピッナップ性を持たせたい場合がある。この点については図で対処法の例を示している。すなわち、図９の（Ａ）ではインシュレータやコルク板等からなるピンナップボード４８をメイン仕切体１３，１４に着脱自在に吊懸けており、（Ｂ）及び（Ｃ）では表裏の表皮材３３の間の空間にピンナップ性ボード４９を配置している。
【００６６】
（Ｂ）のピンナップ性ボード４９はブラケット５０を介してフレーム３２の内面に固定されている。（Ｃ）のピンナップ性ボード４９の保持手段としては、表裏の表皮材３３に固定することとフレーム３２の内面に接着することとの何れか一方又は両方を採用している。ピンナップ性ボード４９を表皮材３３に固定する方法のしては、例えば、両者に貫通させた細い糸や針金で縛り付けることを採用できる。
【００６７】
図示していないが、メイン仕切体１３，１４を鉄板等の磁性板で構成し（クロスを張っても良い）、マグネットによって紙類を押さえ保持できるようにすることも可能である。
【００６８】
図１０では机システムの別例である第２実施形態を示している。すなわちこの実施形態では、第２天板５の前面に第１天板４の左側面を当接させており、第２メイン仕切体１４の右端部と第３メイン仕切体１５の右端部とにサブ仕切体１６を取付けている。サブ仕切体１６の構造及び取付け方法とは第１実施形態と同様でも良いし、別の構造でも良い。
【００６９】
図１１では机ユニットの別例である第３実施形態を示している。この実施形態では、第１天板４の左側面と第２天板５の右側面とをそれぞれ平面視で斜めにカットした形態に形成して、両天板４，５，６突き合わせ面が両天板４，５，６前端面に対して平面視４５度で傾斜するように設定しており、更に、第１メイン仕切体１３と第２メイン仕切体１４とは天板４，５，６の傾斜面の部分を除いた長さに設定して、両メイン仕切体１３，１４にサブ仕切体１６を取付けている。このような態様も請求項の構成に含まれるのである。
【００７０】
(7).その他
本願発明は上記の実施形態の他にも様々に具体化することができる。例えば天板は木製には限らず金属板製（スチール製）とすることも可能であり、また、第１及び第２のメイン仕切体は、木板（合板を含む）製や金属板製としたり、金属製フレームに木製板を張った構造にすることなども可能である。第１机と第２机とは、天板とメイン仕切体との両方の色や形状を変えてもよいし、メイン仕切体の色彩は同一にして天板のみの色又は形状を変えることも可能である。
【００７１】
更に、サブ仕切体の材質や具体的な構造も本願発明の趣旨を損なわない範囲で自由に選択することができる。具体的には、例えば素材は、木製板や非透明アクリル板、塗装された鉄板、布張りの鉄板など様々のものを採用できる。サブ仕切体は上下スライド式とすることも可能である。更に、各机の脚は金属製とすることが可能であることはいうまでもない。
【図面の簡単な説明】
【００７２】
【図１】第１実施形態を示す図で、 (A)は全体の概略斜視図、 (B)は部分的な平面図である。
【図２】全体の平面図である。
【図３】全体の正面図である。
【図４】机の配置例を示す平面図である。
【図５】第１天板と脚との関係を示す分離斜視図である。
【図６】(A)は部分的な背面図、 (B)は (A)の B-B視断面図、 (C)は図３のVIC-VIC 視断面図、 (D)は図２のVID-VID 視断面図である。
【図７】(A)は第１机の部分的な分離斜視図、 (B)は (A)の B-B視断面図である。
【図８】(A)は一部を仮想線で示した第１机の右側断面図、 (B)は (A)の B-B視断面図、 (C)は (A)の C-C視断面図である。
【図９】ピンナップ手段を示す図である。
【図１０】第２実施形態の概略平面図である。
【図１１】第３実施形態の概略平面図である。
【符号の説明】
【００７３】
１  第１机
２  第２机
３  第３机
４  第１天板
５  第２天板
６  第３天板
７  脚
１３  第１メイン仕切体
１４  第２メイン仕切体
１５  第３メイン仕切体
１６  サブ仕切体
【図１】
2006095059.tif 000003
【図２】
2006095059.tif 000004
【図３】
2006095059.tif 000005
【図４】
2006095059.tif 000006
【図５】
2006095059.tif 000007
【図６】
2006095059.tif 000008
【図７】
2006095059.tif 000009
【図８】
2006095059.tif 000010
【図９】
2006095059.tif 000011
【図１０】
2006095059.tif 000012
【図１１】
2006095059.tif 000013